(57)【要約】      （修正有）【課題】操作者による誤った操作箇所の操作及び誤った操作手順での操作を防止する。【解決手段】各操作機器の操作手順を記憶した操作手順データベース２と、操作対象設備及びその操作目的を入力する入力部１０１と、入力した操作対象設備及びその操作目的をもとに操作手順データベースから操作対象設備を構成する各操作機器の操作手順を検索する操作手順検索処理部１０２と、検索した操作手順を表示する表示手段６と、各操作機器毎に取り付けられた操作機器を識別するための識別コードを読みとる識別コード読み取り手段３と、識別コード読み取り手段により読みとった操作機器を識別するための識別コードと、操作手順検索部により検索された現在操作すべき操作機器を識別するための識別コードが一致するか否かを判定する比較処理部１０４を備え、操作機器を識別する識別コードは各操作機器ごとに無線タグとして各操作機器の操作部に取り付けた。【選択図】図４
2006251899.tif 000002
【特許請求の範囲】
【請求項１】
操作対象設備を構成する各操作機器の操作手順を記憶した操作手順データベースと、
前記操作対象設備及びその操作目的を入力する入力部と、
前記入力した操作対象設備及びその操作目的をもとに操作手順データベースから操作対象設備を構成する各操作機器の操作手順を検索する操作手順検索処理部と、
検索した操作手順を表示する表示手段と、
各操作機器毎に取り付けられた操作機器を識別するための識別コードを読みとる識別コード読み取り手段と、
識別コード読み取り手段により読みとった操作機器を識別するための識別コードと、前記操作手順検索部により検索された現在操作すべき操作機器を識別するための識別コードが一致するか否かを判定する比較処理部を備え、
前記操作機器を識別する識別コードは各操作機器ごとに無線タグとして各操作機器の操作部に取り付けたことを特徴とする誤動作防止システム。
【請求項２】
請求項１記載の誤動作防止システムにおいて、
識別コード読み取り手段は無線タグの信号を受信するアンテナを備え、該アンテナは手に取り付けるための取り付け具を備えたことを特徴とする誤動作防止システム。
【請求項３】
請求項１記載の誤動作防止システムにおいて、
識別コード読み取り手段は読み取り結果を無線伝送するための送信手段を備えたことを特徴とする誤動作防止システム。
【発明の詳細な説明】
【技術分野】
【０００１】
本発明は、誤動作防止システムに係り、特に、操作手順の誤りを防止することのできる誤動作防止システムに関する。
【背景技術】
【０００２】
例えば、発電施設等のプラントを構成する設備を操作をする際、操作手順を間違えると、プラントの停止，あるいはプラントの損傷を引き起こす場合が発生する。  
操作対象設備（例えばタービン）を構成する操作機器（例えばバルブ）の操作は、通常のプラント運転時のほかに、定期的な設備の検査あるいは設備の改造作業の際にも行われ、場合によっては設備の一部分を分解することがある。
【０００３】
このような場合、特に電気系統を構成する設備を扱う作業では、操作手順や分解手順を誤った場合、設備の損傷や人体の感電等の重大な事故を引き起こす恐れがある。
【０００４】
これらの誤りを防止するため、従来では、操作手順を記載した操作マニュアルを参照しながら操作したり、作業要領書を作業単位で発行することにより、誤操作の防止を図っていた。
【０００５】
また、特許文献１には、バーコードを操作対象バルブに取付けて、その読込み順序と操作手順の比較により、操作の正誤を確認する方法が示されている。
【特許文献１】特開２００２−２９７２０１号公報
【発明の開示】
【発明が解決しようとする課題】
【０００６】
前記上記バーコードを使用した従来技術では、バーコードを表記するための塗料、あるいはバーコード表記した媒体の汚れや劣化等により情報の損失が起こり、バーコードの読込みが困難になる場合がある。また、バーコードはそれを読み取るために、平坦な箇所に取付ける必要がある。また、バーコードを表示するための十分な面積を確保する必要がある。
【０００７】
さらに、操作スイッチ、あるいはその銘板等が密集する操作パネル上で前記操作スイッチにバーコードを取付けた場合、操作パネル上の情報量が増加して操作スイッチが見づらくなり、操作性が悪くなる。また、このような場合には、操作箇所に取付けたバーコードを読込んでから操作を行うことになるため作業効率が悪化する。
【０００８】
本発明は、これらの問題点に鑑みてなされたもので、誤った操作箇所の操作及び誤った操作手順での操作を防止することのできる誤操作防止システムを提供するものである。
【課題を解決するための手段】
【０００９】
本発明は上記課題を解決するため、次のような手段を採用した。
【００１０】
操作対象設備を構成する各操作機器の操作手順を記憶した操作手順データベースと、前記操作対象設備及びその操作目的を入力する入力部と、前記入力した操作対象設備及びその操作目的をもとに操作手順データベースから操作対象設備を構成する各操作機器の操作手順を検索する操作手順検索処理部と、検索した操作手順を表示する表示手段と、各操作機器毎に取り付けられた操作機器を識別するための識別コードを読みとる識別コード読み取り手段と、識別コード読み取り手段により読みとった操作機器を識別するための識別コードと、前記操作手順検索部により検索された現在操作すべき操作機器を識別するための識別コードが一致するか否かを判定する比較処理部を備え、前記操作機器を識別する識別コードは各操作機器ごとに無線タグとして各操作機器の操作部に取り付けた。
【発明の効果】
【００１１】
本発明は、以上の構成を備えるため、操作者による誤った操作機器の操作及び誤った操作手順での操作を防止することができる。
【発明を実施するための最良の形態】
【００１２】
以下、最良の実施形態を添付図面を参照しながら説明する。図１は、本実施形態にかかる誤操作防止システムを説明する図である。このシステムは、例えばプラントの制御室に備えた操作パネル上に配置した各種操作対象設備の操作機器を規定の手順に沿って操作する際の誤操作を未然に防止するものである。
【００１３】
図１に示すように、このシステムは、操作手順指示端末１、操作手順データベース２、携帯端末３及びアンテナ４を備える。操作対象設備を構成する操作機器の操作箇所（スイッチ、レバー等）には、操作機器（操作箇所）を識別するための識別コードを記憶した無線タグ（ＲＦＩＤタグ）が取り付けられている。なお、ここで携帯端末３及びアンテナ４は後述する識別コードを読みとる識別コード読み取り手段を構成する。
【００１４】
操作手順指示端末３は、図２で詳述するように、計算機２１、キーボード２２、マウス２３、ディスプレイ２４、スピーカ２５をを備え、ディスプレイ２４に操作手順を表示して操作者の操作を支援する。操作手順データベース２は、操作対象設備及び操作対象設備の操作目的ごとに、操作手順情報を保存している。操作手順情報には少なくとも、操作順序に対応して、操作機器の名称、操作説明、操作機器の操作箇所を識別する識別コードが含まれる。また、操作手順データベース２は、ＬＡＮ(Local Aera Network)等のネットワークを介して操作手順指示端末１に接続される。
【００１５】
無線タグ５は不揮発性メモリ備えたＩＣチップとアンテナを備え、不揮発性メモリには予め操作箇所を識別する識別コード（ＩＤ）が格納される。無線タグ５は無線タグのリーダからの電波を受信すると、受信電波に応じて不揮発性メモリに格納した識別コードを前記リーダに向けて送信する。
【００１６】
アンテナ４は、前記リーダのアンテナであり、携帯端末３からの命令を受けて、無線タグ５に向けて電波を発信し、無線タグ５から送信されるデータを受信し、受信したデータを無線タグリーダ４３に送信する。なお、アンテナ４には、操作者の手のひら等に装着するためのバンド等の装着具を備えておくとよい。
【００１７】
図２は、携帯端末の詳細を説明する図である。携帯端末３は、制御部４１、通信部４２、無線タグリーダ４３を備える。また、タグリーダ４３にはアンテナ４が接続される。制御部４１は、タグリーダ４３の送受信動作を制御し、また、通信部４２の動作を制御する。
【００１８】
通信部４２は、タグリーダ４３で読みとった無線タグ５の識別コード（操作箇所を識別する識別コード）を操作手順指示端末１に送信する。操作手順指示端末１と携帯端末３とのの通信は、無線によって行われることが望ましい。
【００１９】
図３は、操作手順指示端末１の詳細を説明する図である。操作手順指示端末１はＣＰＵ（Central Processing Unit）６１、ＣＰＵ６１がプログラムを実行するときに、前記プログラム及びデータを一時的に格納するのに用いる主記憶装置６２、前記プログラムを常時記憶・保存しておく補助記憶装置６３、ネットワークに接続するためのネットワークインターフェース６４、キーボード２２、マウス２３等の入力装置、ディスプレイ２４、スピーカ２５等の出力装置、並びに携帯端末３と通信を行う入出力インターフェース６５を備える。
【００２０】
図４は、携帯端末３及び操作手順指示端末１のソフトウェア構成を説明する図である。図に示すように操作手順指示端末１は、操作対象設備及びその操作目的を入力するための入力操作対象設備・目的入力処理部１０１、操作手順検索処理部１０２、タグデータ受信処理部１０３、操作手順比較処理部１０４を備える。
【００２１】
一方、携帯端末３は、無線タグリーダ４３により読み込んだデータを受信するタグデータ受信処理部１１１、タグデータ受信処理部１１１から受け取ったデータを操作手順指示端末１に送信するタグデータ送信処理部１１２を備える
また、前記操作手順比較処理部１０４は、タグデータ受信処理部１０３から受信した操作箇所識別コードを記憶する操作箇所識別コード格納部２０１、前記操作箇所識別コード格納部２０１に格納された識別コードと、操作手順検索処理部１０２で検索された操作手順２０２の内、現在操作すべき操作箇所を表す識別コード２０２ａとが一致するか否かを判定する操作手順判定部２０３を備える。
【００２２】
図５は、操作手順指示端末１の処理を説明する図である。まず、操作手順指示端末１内のＣＰＵ６１は操作手順データベース２からプラントの設備情報の一覧を取得する（ステップＳ１１）。プラントの設備情報は、設備の名称、設備の識別番号を含んでいる。なお、設備の概要等を含んでいてもよい。取得した設備情報の一覧は、ディスプレイ２４に表示される（ステップＳ１２）。
【００２３】
次に、利用者は、ディスプレイ２４に表示された設備情報の一覧から、これから実際に操作を行う設備（操作対象設備）を選択する（ステップＳ１３）。ついで、選択した設備の識別番号を検索キーにして、操作手順データベース２を検索し、選択した設備の操作目的の一覧を取得し（ステップＳ１４）、取得した操作目的の一覧をディスプレイ２４に表示する（ステップＳ１５）。利用者は、ディスプレイ２４に表示された操作目的の一覧から、これから行う前記設備の操作の目的を選択する（ステップＳ１６）。
【００２４】
そして、選択した操作対象設備と操作目的を検索キーにして、操作手順データベース２を検索し、選択した操作目的を達成するための操作手順２０２を取得する。操作手順の情報には、各操作の段階において、操作すべき操作箇所を識別する識別コードが含まれる。取得した操作手順２０２は、ディスプレイ２４に表示する。
【００２５】
次いでディスプレイ２４に表示される操作手順の各項目を、その順番に従って読みだし、読み出した各項目に含まれる、操作すべき操作箇所を表す識別コードを抽出する。なお、このとき、ディスプレイ２４に表示された操作手順のうち、現在操作すべき情報を強調して表示するのが望ましい（ステップＳ１７）。
【００２６】
利用者はディスプレイ２４に表示された操作手順に従って無線タグが取り付けられた操作箇所５に、無線タグリーダ４３のアンテナ４を装着した手のひらをかざす。すると、操作箇所に取り付けられた無線タグの識別コードが、アンテナにより受信され、無線タグリーダ４３に読み込まれる。読込まれた識別コードは、携帯端末３の通信部４２から無線送信され、操作手順指示端末１で受信され、さらに主記憶装置６２に記憶される（ステップＳ１８）。
【００２７】
次いで、操作手順データベースから検索した、現在操作すべき操作箇所を識別する識別コード２０２ａと、携帯端末３から受信した、実際に操作しようとしている操作箇所を表す識別コード２０１が同じであるかどうか比較する（ステップＳ１９）。
【００２８】
識別コードが一致しない場合は、操作しようとしている操作箇所が間違っていることを知らせる警報を、スピーカー５から出力する。なお、警報は、ディスプレイ２４の画面上の表示により行ってもよい。また、ステップＳ１９における比較結果を携帯端末３に送信し、携帯端末３から、警報を出力してもよい（ステップＳ２０）。
【００２９】
識別コードが一致する場合は、操作しようとしている箇所が、手順に従ってお  り、正しいことをスピーカー５から出力する。なお、ステップＳ１９と同様に、ディスプレイ２４の画面上、または携帯端末３から出力してもよい（ステップＳ２１）。
【００３０】
なお、以上のステップの内、ステップＳ１７ないしステップＳ２１を、操作手順のすべての項目について、操作が完了するまで繰り返す（ステップＳ２２）。
【００３１】
以上説明したように、本実施形態によれば、操作箇所の識別に無線タグを使用することにより、汚れ等による操作箇所の識別コードの損失や劣化を防ぐことができる。
【００３２】
また、取付箇所に応じた形状の無線タグを使用する、あるいは無線タグの形状に加工を施すことにより、平坦な場所以外にも識別コードを取り付けることができる。また、無線タグには様々な形状のものがあり、小型化もしやすいため、種々の形状の取付け箇所に幅広く対応することができる。更に、無線タグは操作箇所に埋め込むことができるため、操作パネル上の情報量の増加を防ぎ、操作性を損なうことがない。
【００３３】
また、無線タグの読込を行うアンテナを、手に装着することにより、操作しようとするタイミングで、操作しようとしている箇所の識別コードを、操作手順指示端末へ送信することができる。このため、操作しようとしている箇所が、正しい操作手順に則っているか否かを瞬時に認知することができる。さらに操作しようとしている操作箇所が間違っていることを知らせる警報あるいは操作箇所が正しいことを表す信号をスピーカー５から出力するため、操作者は操作対象設備から離れることなく作業に従事することができ、操作対象設備の操作性を損なうことがない。
【図面の簡単な説明】
【００３４】
【図１】本実施形態にかかる誤操作防止システムを説明する図である。
【図２】携帯端末の詳細を説明する図である。
【図３】操作手順指示端末１の詳細を説明する図である。
【図４】携帯端末３及び操作手順指示端末１のソフトウェア構成を説明する図である。
【図５】操作手順指示端末１の処理を説明する図である。
【符号の説明】
【００３５】
１  操作手順指示端末
２  操作手順データベース
３  携帯端末
４  アンテナ
５  無線タグ
６  表示手段
２１  計算機
２２  キーボード
２３  マウス
２４  ディスプレイ
２５  スピーカ
４１  制御部
４２  通信部
４３  無線タグリーダ
６１  ＣＰＵ
６２  主記憶
６３  補助記憶装置
６４  ネットワークインタフェース
６５  入出力インタフェース
１０１  操作対象設備・目的入力処理部
１０２  操作手順検索処理部
１０３  タグデータ受信処理部
１０４  操作手順比較処理部
１１１  タグデータ受信処理部
１１２  タグデータ送信処理部
２０１  操作箇所識別コード
２０２  操作手順
２０２ａ  識別コード
２０３  操作手順判定部
【図１】
2006251899.tif 000003
【図２】
2006251899.tif 000004
【図３】
2006251899.tif 000005
【図４】
2006251899.tif 000006
【図５】
2006251899.tif 000007